(57)【要約】【課題】施設支柱が挿設される多数の施設支柱固定具を横紐と縦紐を合わせて地中に貫入する施設の基礎工事において中心軸を外れた施設支柱固定具の横紐（Ｘ軸）、縦紐（Ｙ軸）、垂直（Ｚ軸）、及び水平（Ｘ−Ｙ面）を補正して前記施設支柱固定具を前記中心軸に合わせることのできる施設支柱固定具の中心軸補正装置を提供する。【解決手段】本発明に係る施設支柱固定具の中心軸補正装置によれば、施設支柱が嵌設される多数の施設支柱固定具を横紐と縦紐を合わせて地中に貫入する施設の基礎工事において中心軸を外れた施設支柱固定具に取り付けて締結・固定することにより、中心軸の横紐（Ｘ軸）、縦紐（Ｙ軸）、垂直（Ｚ軸）、及び水平（Ｘ−Ｙ面）を簡単に補正して中心軸を合わせることで施設支柱を円滑で且つ安定的に設置することが可能になる。【選択図】図２
2010236344.tif 000002
【特許請求の範囲】
【請求項１】
施設支柱が嵌設される多数の施設支柱固定具を横紐と縦紐を合わせて地中に貫入する施設の基礎工事における中心軸を外れた施設支柱固定具の中心軸補正装置において、
前記施設支柱固定具（１０）の上端面に結合され、縁部には多数のスロット（２０１）が等間隔にて形成されて多数の連結部（２０２）が前記スロット（２０１）と交互に形成され、中央部には固定孔（２０３）が形成され、前記中央部の下部面には固定片（２０４）が形成されるフランジ（２０）と、
前記フランジ（２０）の上側に結合されるが、内側に前記施設支柱（１００）が嵌設される空間部が形成され、下部面にガイド孔（３０１）が形成されてガイド片（３０２）が前記ガイド孔（３０１）に沿って移動可能に取り付けられて前記固定孔（２０３）を貫通して前記固定片（２０４）に締結され、前記ガイド孔（３０１）と前記スロット（２０１）がボルト−ナット締結される支柱連結部（３０）と、
を備えることを特徴とする施設支柱固定具の中心軸補正装置。
【請求項２】
前記フランジ（２０）は、前記多数のスロット（２０１）と連結部（２０２）の内側に同じ形状の連結部（２０２’）とスロット（２０１’）が交互にそれぞれ形成されることを特徴とする請求項１に記載の施設支柱固定具の中心軸補正装置。
【請求項３】
施設支柱が嵌設される多数の施設支柱固定具を横紐と縦紐を合わせて地中に貫入する施設の基礎工事における中心軸を外れた施設支柱固定具の中心軸補正装置において、
前記施設支柱固定具（１０）の上端面に結合され、縁部には多数の第１スロット（４０１）が等間隔にて形成されて多数の第１連結部（４０２）が前記第１スロット（４０１）と交互に形成され、中央部には第１固定孔（４０３）が形成され、前記中央部の下部面には固定片（４０４）が形成される第１フランジ（４０）と、
前記第１フランジ（４０）の上側に結合されるが、内側に前記施設支柱（１００）が挿設される空間部が形成され、下部面の中央部には第２固定孔（５０１）が形成されて締結片（５０２）が前記第２固定孔（５０１）と前記第１固定孔（４０３）を貫通して前記固定片（４０４）に締結され、前記第１フランジ（４０）の前記第１スロット（４０１）と第１連結部（４０２）に対向して同じ形状に第２スロット（５０３）と第２連結部（５０４）が形成されてボルト（５０５）が前記第１スロット（４０１）と前記第２スロット（５０３）を貫通してダブルナット（５０６）に締結される第２フランジ（５０）と、
を備えることを特徴とする施設支柱固定具の中心軸補正装置。
【請求項４】
施設支柱が嵌設される多数の施設支柱固定具を横紐と縦紐を合わせて地中に貫入する施設の基礎工事における中心軸を外れた施設支柱固定具の中心軸補正装置において、
前記施設支柱固定具（１０）の空間部には前記施設支柱（１００）が嵌設されるが、前記施設支柱固定具（１０）の上部には多数の係合孔（１０１）が等間隔にて形成され、前記係合孔（１０１）には係合片（１０２）が締結されて前記施設支柱（１００）を固定することを特徴とする施設支柱固定具の中心軸補正装置。
【請求項５】
施設支柱が嵌設される多数の施設支柱固定具を横紐と縦紐を合わせて地中に貫入する施設の基礎工事における中心軸を外れた施設支柱固定具の中心軸補正装置において、
前記施設支柱固定具（１０）の空間部には連結棒（６０）が嵌設され、前記連結棒（６０）の上端面には内側に前記施設支柱（１００）が嵌設される空間部が形成される支柱連結部（３０’）が結合されるが、前記施設支柱固定具（１０）の上部には多数の係合孔（１０１）が等間隔にて形成され、前記係合孔（１０１）には係合片（１０２）が締結されて前記施設支柱（１００）を固定することを特徴とする施設支柱固定具の中心軸補正装置。
【請求項６】
前記係合孔（１０１）は３つが等間隔にて形成され、前記係合孔（１０１）に前記係合片（１０２）が締結されることを特徴とする請求項４または請求項５に記載の施設支柱固定具の中心軸補正装置。
【請求項７】
施設支柱が嵌設される多数の施設支柱固定具を横紐と縦紐を合わせて地中に貫入する施設の基礎工事における中心軸を外れた施設支柱固定具の中心軸補正装置において、
前記施設支柱固定具（１０）は、内側に前記施設支柱が嵌設される空間部（７１、８１）が形成される下部固定具（７０）と上部固定具（８０）とから構成されるが、前記下部固定具（７０）は、下部には外周縁にネジ山（７３）が形成される上広下狭のくさび部（７４）が形成され、前記下部固定具（７０）の上端部に前記上部固定具（８０）の下端部が組み付け可能に形成されることを特徴とする施設支柱固定具の中心軸補正装置。
【請求項８】
前記下部固定具（７０）の上端部と前記上部固定具（８０）の下端部にはフランジ部（７７、８７）が形成されて互いにフランジ結合されるが、前記フランジ部（７７、８７）は螺旋状に形成されることを特徴とする請求項７に記載の施設支柱固定具の中心軸補正装置。
【請求項９】
前記上部固定具（８０）は、外周縁にネジ山（８４）が形成されることを特徴とする請求項７または請求項８に記載の施設支柱固定具の中心軸補正装置。
【請求項１０】
施設支柱が嵌設される多数の施設支柱固定具を横紐と縦紐を合わせて地中に貫入する施設の基礎工事における中心軸を外れた施設支柱固定具の中心軸補正装置において、
前記施設支柱固定具（１０）の上部に一体にまたは結合形成され、前後方面にそれぞれ２つずつのＸ軸ガイド孔（１５１）が形成され、前記Ｘ軸ガイド孔（１５１）には前記Ｘ軸ガイド孔（１５１）に沿って前後に移動し、ガイド片ボルト−ガイド片ナット（１５４、１５５）から構成されるガイド片（１５３）が取り付けられるＸ軸ガイドプレート（１５０）と、
前記Ｘ軸ガイドプレート（５１０）の上側に左右方面にそれぞれ２つずつのＹ軸ガイド孔（１６１）が形成され、前記Ｙ軸ガイド孔（１６１）には前記Ｙ軸ガイド孔（１６１）に沿って左右に移動し、前記ガイド片（１５３）が取り付けられるＹ軸ガイドプレート（１６０）と、
を備えることを特徴とする施設支柱固定具の中心軸補正装置。
【請求項１１】
前記ガイド片ナット（１５５）はダブルナット（１５６）から構成して前記Ｙ軸ガイドプレート（１６０）の上下に締結されて前記Ｘ軸ガイドプレート（１５０）と前記Ｙ軸ガイドプレート（１６０）の前後左右の間隔を調節できるようにすることを特徴とする請求項１０に記載の施設支柱固定具の中心軸補正装置。
【発明の詳細な説明】
【技術分野】
【０００１】
本発明は、施設支柱固定具の中心軸補正装置に係り、さらに詳しくは、施設支柱が挿設される多数の施設支柱固定具を横紐と縦紐を合わせて地中に貫入する施設の基礎工事において中心軸を外れた施設支柱固定具の横紐（Ｘ軸）、縦紐（Ｙ軸）、垂直（Ｚ軸）、及び水平（Ｘ−Ｙ面）を補正して前記施設支柱固定具を前記中心軸に合わせることのできる施設支柱固定具の中心軸補正装置に関する。
【背景技術】
【０００２】
一般に、建築物、畜舎、屋外施設、造景施設、水上構造物などの施設を施工するとき、その施設支柱を地上に支持するための基礎を設置する。このとき、かような基礎として施設支柱が嵌設される施設支柱固定具を使用するが、このような施設支柱固定具を施設支柱に合わせて多数が地中に貫入する。
【０００３】
このように施設支柱が嵌設される多数の施設支柱固定具を横紐と縦紐を合わせて地中に貫入する施設の基礎工事において施設支柱固定具を地中に貫入するに際して、地中の岩石や不均質な土質、地盤が出現する場合が頻発して施工しようとする中心軸を外れたり、水平面が回転してねじれが発生したり、海岸地域、河川地域、湿地、水空間などの地盤が弱い軟弱地盤地域においてはこのような施設固定具を地中に貫入しようとするときに前記施設固定具の支持力を十分に確保することのできる地盤まで地中に貫入しなければならないため、施設支柱固定具が地中に貫入する深さも異なってくる場合がある。この場合に、前記施設支柱固定具は中心軸を外れてしまい、前記施設支柱固定具に施工される施設支柱を前記施設支柱固定具に正確な位置と高さをもって嵌設することができなくなるという不都合がある。
【先行技術文献】
【特許文献】
【０００４】
【特許文献１】米国特許第７４６７５３６号明細書
【発明の概要】
【発明が解決しようとする課題】
【０００５】
本発明は上述した問題点を解消するためになされたものであり、その目的は、施設支柱が嵌設される多数の施設支柱固定具を横紐と縦紐を合わせて地中に貫入する施設の基礎工事において、中心軸を外れた施設の固定具を簡単に補正して中心軸を合わせることにより施設支柱を円滑で且つ安定的に設置することのできる施設支柱固定具の中心軸補正装置を提供するところにある。
【課題を解決するための手段】
【０００６】
本発明による施設支柱固定具の中心軸補正装置は、施設支柱が嵌設される多数の施設支柱固定具を横紐と縦紐を合わせて地中に貫入する施設の基礎工事における中心軸を外れた施設支柱固定具の中心軸補正装置において、前記施設支柱固定具１０の上端面に結合され、縁部には多数のスロット２０１が等間隔にて形成されて多数の連結部２０２が前記スロット２０１と交互に形成され、中央部には固定孔２０３が形成され、前記中央部の下部面には固定片２０４が形成されるフランジ２０と、前記フランジ２０の上側に結合されるが、内側に前記施設支柱１００が嵌設される空間部が形成され、下部面にガイド孔３０１が形成されてガイド片３０２が前記ガイド孔３０１に沿って移動可能に取り付けられて前記固定孔２０３を貫通して前記固定片２０４に締結され、前記ガイド孔３０１と前記スロット２０１がボルト−ナット締結される支柱連結部３０と、を備えることを特徴とする。
【０００７】
また、本発明による施設支柱固定具の中心軸補正装置において、前記フランジ２０は、前記多数のスロット２０１と連結部２０２の内側に同じ形状の連結部２０２’とスロット２０１’が交互にそれぞれ形成されることを特徴とする。
【０００８】
さらに、本発明による施設支柱固定具の中心軸補正装置は、施設支柱が嵌設される多数の施設支柱固定具を横紐と縦紐を合わせて地中に貫入する施設の基礎工事における中心軸を外れた施設支柱固定具の中心軸補正装置において、前記施設支柱固定具１０の上端面に結合され、縁部には多数の第１スロット４０１が等間隔にて形成されて多数の第１連結部４０２が前記第１スロット４０１と交互に形成され、中央部には第１固定孔４０３が形成され、前記中央部の下部面には固定片４０４が形成される第１フランジ４０と、前記第１フランジ４０の上側に結合されるが、内側に前記施設支柱１００が挿設される空間部が形成され、下部面の中央部には第２固定孔５０１が形成されて締結片５０２が前記第２固定孔５０１と前記第１固定孔４０３を貫通して前記固定片４０４に締結され、前記第１フランジ４０の前記第１スロット４０１と第１連結部４０２に対向して同じ形状に第２スロット５０３と第２連結部５０４が形成されてボルト５０５が前記第１スロット４０１と前記第２スロット５０３を貫通してダブルナット５０６に締結される第２フランジ５０と、を備えることを特徴とする。
【０００９】
さらに、本発明による施設支柱固定具の中心軸補正装置は、施設支柱が嵌設される多数の施設支柱固定具を横紐と縦紐を合わせて地中に貫入する施設の基礎工事における中心軸を外れた施設支柱固定具の中心軸補正装置において、前記施設支柱固定具１０の空間部には前記施設支柱１００が嵌設されるが、前記施設支柱固定具１０の上部には多数の係合孔１０１が等間隔にて形成され、前記係合孔１０１には係合片１０２が係合されて前記施設支柱１００を固定することを特徴とする。
【００１０】
さらに、本発明による施設支柱固定具の中心軸補正装置は、施設支柱が嵌設される多数の施設支柱固定具を横紐と縦紐を合わせて地中に貫入する施設の基礎工事における中心軸を外れた施設支柱固定具の中心軸補正装置において、前記施設支柱固定具１０の空間部には連結棒６０が嵌設され、前記連結棒６０の上端面には内側に前記施設支柱１００が嵌設される空間部が形成される支柱連結部３０’が結合されるが、前記施設支柱固定具１０の上部には多数の係合孔１０１が等間隔にて形成され、前記係合孔１０１には係合片１０２が係合されて前記施設支柱１００を固定することを特徴とする。
【００１１】
さらに、本発明による施設支柱固定具の中心軸補正装置において、前記係合孔１０１は３つが等間隔にて形成され、前記係合孔１０１に前記係合片１０２が係合されることを特徴とする。
【００１２】
さらに、本発明による施設支柱固定具の中心軸補正装置は、施設支柱が嵌設される多数の施設支柱固定具を横紐と縦紐を合わせて地中に貫入する施設の基礎工事における中心軸を外れた施設支柱固定具の中心軸補正装置において、前記施設支柱固定具１０は、内側に前記施設支柱が嵌設される空間部７１、８１が形成される下部固定具７０と上部固定具８０とから構成されるが、前記下部固定具７０は、下部には外周縁にネジ山７３が形成される上広下狭のくさび部７４が形成され、前記下部固定具７０の上端部に前記上部固定具８０の下端部が組み付け可能に形成されることを特徴とする。
【００１３】
さらに、本発明による施設支柱固定具の中心軸補正装置は、前記下部固定具７０の上端部と前記上部固定具８０の下端部にはフランジ部７７、８７が形成されて互いにフランジ結合されるが、前記フランジ部７７、８７は螺旋状に形成されることを特徴とする。
【００１４】
さらに、本発明による施設支柱固定具の中心軸補正装置において、前記上部固定具８０は、外周縁にネジ山８４が形成されることを特徴とする。
さらに、本発明による施設支柱固定具の中心軸補正装置は、施設支柱が嵌設される多数の施設支柱固定具を横紐と縦紐を合わせて地中に貫入する施設の基礎工事における中心軸を外れた施設支柱固定具の中心軸補正装置において、前記施設支柱固定具１０の上部に一体にまたは結合形成され、前後方面にそれぞれ２つずつのＸ軸ガイド孔１５１が形成され、前記Ｘ軸ガイド孔１５１には前記Ｘ軸ガイド孔１５１に沿って前後に移動し、ガイド片ボルト−ガイド片ナット１５４、１５５から構成されるガイド片１５３が取り付けられるＸ軸ガイドプレート１５０と、前記Ｘ軸ガイドプレート５１０の上側に左右方面にそれぞれ２つずつのＹ軸ガイド孔１６１が形成され、前記Ｙ軸ガイド孔１６１には前記Ｙ軸ガイド孔１６１に沿って左右に移動し、前記ガイド片１５３が取り付けられるＹ軸ガイドプレート１６０と、を備えることを特徴とする。
【００１５】
さらに、本発明による施設支柱固定具の中心軸補正装置は、前記ガイド片ナット１５５はダブルナット１５６から構成して前記Ｙ軸ガイドプレート１６０の上下に締結されて前記Ｘ軸ガイドプレート１５０と前記Ｙ軸ガイドプレート１６０の前後左右の間隔を調節できるようにすることを特徴とする。
【発明の効果】
【００１６】
本発明に係る施設支柱固定具の中心軸補正装置によれば、施設支柱が嵌設される多数の施設支柱固定具を横紐と縦紐を合わせて地中に貫入する施設の基礎工事において中心軸を外れた施設支柱固定具に取り付けて締結・固定することにより中心軸の横紐（Ｘ軸）、縦紐（Ｙ軸）、垂直（Ｚ軸）、及び水平（Ｘ−Ｙ面）を簡単に補正して中心軸を合わせることで施設支柱を円滑で且つ安定的に設置することが可能になる。
【図面の簡単な説明】
【００１７】
【図１】中心軸を外れた施設支柱固定具の状態図。
【図２】本発明による施設支柱固定具の中心軸補正装置の分解斜視図。
【図３】本発明による施設支柱固定具の中心軸補正装置の側面図。
【図４】本発明による施設支柱固定具の中心軸補正装置の他の実施形態の分解斜視図。
【図５】本発明による施設支柱固定具の中心軸補正装置の他の実施形態の側面図。
【図６】本発明による施設支柱固定具の中心軸補正装置の他の実施形態の斜視図。
【図７】本発明による施設支柱固定具の中心軸補正装置の他の実施形態の平面図。
【図８】本発明による施設支柱固定具の中心軸補正装置の他の実施形態の斜視図。
【図９Ａ】本発明による施設支柱固定具の中心軸補正装置の他の実施形態の斜視図。
【図９Ｂ】本発明による施設支柱固定具の中心軸補正装置の他の実施形態の斜視図。
【図１０Ａ】本発明による施設支柱固定具の中心軸補正装置の他の実施形態の斜視図。
【図１０Ｂ】本発明による施設支柱固定具の中心軸補正装置の他の実施形態の斜視図。
【図１１Ａ】本発明による施設支柱固定具の中心軸補正装置の他の実施形態の側面分解図。
【図１１Ｂ】本発明による施設支柱固定具の中心軸補正装置の他の実施形態の側面結合図。
【図１２】本発明による施設支柱固定具の中心軸補正装置の他の実施形態の分解斜視図。
【図１３】本発明による施設支柱固定具の中心軸補正装置の他の実施形態の使用状態図。
【図１４】本発明による施設支柱固定具の中心軸補正装置の他の実施形態の使用状態側面図。
【発明を実施するための形態】
【００１８】
以下、添付図面に基づき、本発明による施設支柱固定具の中心軸補正装置及び補正方法を詳述する。
図１は、中心軸を外れた施設支柱固定具の状態図であり、図２は、本発明による施設支柱固定具の中心軸補正装置の分解斜視図であり、図３は、本発明による施設支柱固定具の中心軸補正装置の側面図であり、図４は、本発明による施設支柱固定具の中心軸補正装置の他の実施形態の分解斜視図であり、図５は、本発明による施設支柱固定具の中心軸補正装置の他の実施形態の側面図であり、図６は、本発明による施設支柱固定具の中心軸補正装置の他の実施形態の斜視図であり、図７は、本発明による施設支柱固定具の中心軸補正装置の他の実施形態の平面図であり、図８は、本発明による施設支柱固定具の中心軸補正装置の他の実施形態の斜視図であり、図９Ａ〜図１０Ｂは、本発明による施設支柱固定具の中心軸補正装置の他の実施形態の斜視図であり、図１１Ａは、本発明による施設支柱固定具の中心軸補正装置の他の実施形態の側面分解図であり、図１１Ｂは、本発明による施設支柱固定具の中心軸補正装置の他の実施形態の側面結合図であり、図１２は、本発明による施設支柱固定具の中心軸補正装置の他の実施形態の分解斜視図であり、図１３は、本発明による施設支柱固定具の中心軸補正装置の他の実施形態の使用状態図であり、図１４は、本発明による施設支柱固定具の中心軸補正装置の他の実施形態の使用状態側面図である。
【００１９】
施設の基礎工事において施設支柱を嵌設するための施設支柱固定具１０を横紐と縦紐を合わせて地中に貫入しようとするときに地中の岩石や不均質な土質、地盤が出現する場合が頻発して、図１に示すように、施工しようとする横紐（Ｘ軸）、縦紐（Ｙ軸）、垂直（Ｚ軸）から外れてしまい、施設支柱固定具が地中に貫入する深さも異なってきて水平（Ｘ−Ｙ面）から外れて中心軸から外れてしまう。この場合に、前記施設支柱固定具に施工される施設支柱１００を前記施設支柱固定具１０に正確な位置と高さをもって施工することができなくなる。
【００２０】
本発明による施設支柱固定具の中心軸補正装置は、図２及び図３に示すように、施設支柱が嵌設される多数の施設支柱固定具を横紐と縦紐を合わせて地中に貫入する施設の基礎工事における中心軸を外れた施設支柱固定具の中心軸補正装置において、前記施設支柱固定具１０の上端面に結合され、縁部には多数のスロット２０１が等間隔にて形成されて多数の連結部２０２が前記スロット２０１と交互に形成され、中央部には固定孔２０３が形成され、前記中央部の下部面には固定片２０４が形成されるフランジ２０と、前記フランジ２０の上側に結合されるが、内側に前記施設支柱１００が嵌設される空間部が形成され、下部面にガイド孔３０１が形成されてガイド片３０２が前記ガイド孔３０１に沿って移動可能に取り付けられて前記固定孔２０３を貫通して前記固定片２０４に締結され、前記ガイド孔３０１と前記スロット２０１がボルト−ナット締結される支柱連結部３０と、から構成されることを特徴とする。
【００２１】
これによれば、細長い穴状の前記多数のスロット２０１、前記固定孔２０３、及び前記固定片２０４が形成される前記フランジ２０は前記施設支柱固定具１０の上端面に別途の結合手段を用いて結合してもよく、前記施設支柱固定具１０と一体に形成してもよい。
【００２２】
前記施設支柱固定具１０の上端面に前記フランジ２０を結合したり一体に形成した場合、前記施設支柱固定具１０を地中に貫入するに際して前記フランジ２０がより広い面積の地面により支持されるため、一層安定的に地中に貫入する。
【００２３】
また、内側に前記施設支柱１００が嵌設される前記支柱連結部３０は、前記ガイド片２０４を前記固定孔２０３に嵌入することにより前記固定孔２０３を軸として回転可能であるが、前記中心軸から外れた場合、前記中心軸の方向に前記支柱連結部３０を回転させ、前記ガイド孔に沿って中心軸に正確に合わせた後、前記ガイド片２０４を前記固定孔２０３を貫通して前記固定片２０４に締結することにより前記フランジ２０と結合され、これと共に、前記ガイド孔３０１と前記スロット２０１にボルト−ナット締結することにより二重に固定される。
【００２４】
このように本発明による施設支柱固定具の中心軸補正装置は、前記施設支柱固定具１０の上部面に中心軸を補正して取り付けられ、前記支柱連結部３０の前記空間部に前記施設支柱１００が嵌設されて安定的に設置されることになる。
【００２５】
また、本発明による施設支柱固定具の中心軸補正装置は、図３に示すように、前記フランジ２０は前記多数のスロット２０１と連結部２０２の内側に同じ形状の連結部２０２’とスロット２０１’が交互にそれぞれ形成されることを特徴とする。
【００２６】
これによれば、前記スロット２０１、２０１’は二重に形成されて前記フランジ２０の縁部全体をカバーできるようになって、中心軸を補正するに際して一層簡単で且つ効率的に構成することが好ましい。
【００２７】
一方、本発明による施設支柱固定具の中心軸補正装置は、図４及び図５に示すように、施設支柱が嵌設される多数の施設支柱固定具を横紐と縦紐を合わせて地中に貫入する施設の基礎工事における中心軸を外れた施設支柱固定具の中心軸補正装置において、前記施設支柱固定具１０の上端面に結合され、縁部には多数の第１スロット４０１が等間隔にて形成されて多数の第１連結部４０２が前記第１スロット４０１と交互に形成され、中央部には第１固定孔４０３が形成され、前記中央部の下部面には固定片４０４が形成される第１フランジ４０と、前記第１フランジ４０の上側に結合されるが、内側に前記施設支柱１００が挿設される空間部が形成され、下部面の中央部には第２固定孔５０１が形成されて締結片５０２が前記第２固定孔５０１と前記第１固定孔４０３を貫通して前記固定片４０４に締結され、前記第１フランジ４０の前記第１スロット４０１と第１連結部４０２に対向して同じ形状に第２スロット５０３と第２連結部５０４が形成されてボルト５０５が前記第１スロット４０１と前記第２スロット５０３を貫通してダブルナット５０６に締結される第２フランジ５０と、から構成されることを特徴とする。
【００２８】
本発明は、地中に貫入した施設支柱固定具１０が垂直的に合わずにＺ軸方向に対して傾斜した場合にこれを補正するための装置である。前記第１フランジ４０と前記第２フランジ５０は上下に平行に間隔をおいて結合され、その間隔は前記ボルト５０５と前記ダブルナット５０６により調節されて垂直から傾斜した分だけ補正することが可能になる。
【００２９】
すなわち、前記ボルト５０５と前記ダブルナット５０６を前記第１フランジ４０と前記第２フランジ５０の前後方面の４角に形成される前記第１スロット４０１と前記第２スロット５０３に締結するが、前記ダブルナット５０６を用いて中心軸から傾斜した側の間隔を増やし、反対側の間隔を減らすような方式により調節することによりＺ軸方向に対して傾斜した分だけ補正して垂直を合わせることになる。
【００３０】
一方、本発明による施設支柱固定具の中心軸補正装置は、図６に示すように、施設支柱が嵌設される多数の施設支柱固定具を横紐と縦紐を合わせて地中に貫入する施設の基礎工事における中心軸を外れた施設支柱固定具の中心軸補正装置において、前記施設支柱固定具１０の空間部には前記施設支柱１００が嵌設されるが、前記施設支柱固定具１０の上部には多数の係合孔１０１が等間隔にて形成され、前記係合孔１０１には係合片１０２が係合されて前記施設支柱１００を固定することを特徴とする。
【００３１】
これによれば、前記施設支柱固定具１０は、空間部を有する中空円錐状の鋼管体から形成されてハンマーなどにより加圧して地中に貫入するか、あるいは、図６に示すように、外周縁に下端の頂点から所定の高さまで前記ネジ山１０３が形成され、掘削機などの機械を用いて前記施設支柱固定具１０を加圧及び回転して施工される。前記ネジ山１０３が形成される場合には、前記ネジ山１０３により回転しながら直接的に地面を掘り込んで地中に埋設できるように形成されて地盤との摩擦力が増大されて支持力が極大化可能であり、前記空間部には前記施設支柱１００が挿設される。
【００３２】
このとき、挿設された前記施設支柱固定具１０が地面と垂直的に合わなくて垂直（Ｚ軸）の中心軸から外れた場合に、前記施設支柱１００を前記空間部に挿設した後、前記施設支柱固定具１０の上部に等間隔にて形成された多数の係合孔１０１と前記係合孔１０１に係合される係合片１０２によって垂直を合わせてＺ軸方向に補正することが可能になる。
【００３３】
すなわち、前記施設支柱１００は、前記施設支柱固定具１０の前記空間部に挿設された後に前記係合孔１０１に係合される前記係合片１０２によって支持・固定されるが、垂直（Ｚ軸）の中心軸を補正するためには前記施設支柱固定具１０が傾斜した側に形成された係合孔に係合される係合片は前記空間部の内側に一層深く挿入されて締結され、反対側に形成された係合孔に係合される係合片は前記空間部の内側に一層浅く挿入されて締結されることにより、前記施設支柱固定具１０の前記空間部に挿設される前記施設支柱１００の位置を中心軸に合わせて正確に施工することが可能になる。前記係合孔１０１と前記係合片１０２は、図６に示すように、それぞれボルト孔及びボルトから構成されて前記ボルトが前記ボルト孔に締結される。
【００３４】
一方、本発明による施設支柱固定具の中心軸補正装置は、図８に示すように、施設支柱が嵌設される多数の施設支柱固定具を横紐と縦紐を合わせて地中に貫入する施設の基礎工事における中心軸を外れた施設支柱固定具の中心軸補正装置において、前記施設支柱固定具１０の空間部には連結棒６０が嵌設され、前記連結棒６０の上端面には内側に前記施設支柱１００が嵌設される空間部が形成される支柱連結部３０’が結合されるが、前記施設支柱固定具１０の上部には多数の係合孔１０１が等間隔にて形成され、前記係合孔１０１には係合片１０２が係合されて前記施設支柱１００を固定することを特徴とする。
【００３５】
これによれば、前記施設支柱固定具１０は、空間部を有する中空円錐状の鋼管体から形成されてハンマーなどにより加圧して地中に貫入するか、あるいは、図８に示すように、外周縁に下端の頂点から所定の高さまで前記ネジ山１０３が形成され、掘削機などの機械を用いて前記施設支柱固定具１０を加圧及び回転して施工される。前記ネジ山１０３が形成される場合には、前記ネジ山１０３により回転しながら直接的に地面を掘り込んで地中に埋設できるように形成されて地盤との摩擦力が増大されて支持力が極大化可能であり、前記空間部には前記施設支柱１００が挿設される。
【００３６】
このとき、挿設された施設支柱固定具が地面と垂直的に合わなくて垂直（Ｚ軸）の中心軸から外れた場合に、前記施設支柱固定具の空間部に前記連結棒６０を挿入した後に、前記施設支柱固定具１０の上部に等間隔にて形成された多数の係合孔１０１と前記係合孔１０１に係合される前記係合片１０２によって垂直をＺ軸方向に補正することが可能になる。
【００３７】
すなわち、前記連結棒６０は、前記施設支柱固定具１０の前記空間部に挿入された後に前記係合孔１０１に係合される前記係合片１０２によって支持・固定されるが、垂直（Ｚ軸）の中心軸を補正するためには前記施設支柱固定具１０が傾斜した側に形成された係合孔に係合される係合片は前記空間部の内側に一層深く挿入されて締結され、反対側に形成された係合孔に係合される係合片は前記空間部の内側に一層浅く挿入されて締結されることにより、前記連結棒６０の上端面に形成された前記支柱連結部３０’の前記空間部に挿設される前記施設支柱１００の位置を中心軸に合わせて正確に施工することが可能になる。前記係合孔１０１と前記係合片１０２は、図８に示すように、それぞれボルト孔とボルトから構成されて前記ボルトが前記ボルト孔に締結され、前記支柱連結部３０’は前記連結棒６０の上側に結合されるが、その挿設される前記施設支柱１００の形状に対応して種々の形状に構成することができる。
【００３８】
また、本発明による施設支柱固定具の中心軸補正装置は、図７に示すように、前記係合孔１０１は３つが等間隔にて形成され、前記係合孔１０１に前記係合片１０２が係合されることを特徴とする。
【００３９】
これによれば、前記係合孔１０１及び前記係合片１０２は、２つ、３つ、４つ、５つずつなど多数が等間隔にて形成されて前記施設支柱固定具１０の空間部に挿設される前記施設支柱１００または前記連結棒６０の垂直を補正するが、３つずつである場合の方が、幾何学的に安定的な構造を有しながらも最も簡単に補正することが可能になる。
【００４０】
すなわち、前記係合孔１０１及び前記係合片１０２が２つずつである場合には両側から垂直を合わせるものであるため垂直が上手く合わないだけではなく、構造的にも極めて不安定的であり、４つずつ以上である場合には垂直が上手く合うとはいえ、あまりにもその数が多くて垂直を合わせることが容易ではなく、煩雑で且つ複雑になるのに対し、３つずつである場合にこのような作業上の問題と構造的な問題をバランスよく解決することが可能になる。
【００４１】
一方、本発明による施設支柱固定具の中心軸補正装置は、図９Ａ及び図９Ｂに示すように、施設支柱が嵌設される多数の施設支柱固定具を横紐と縦紐を合わせて地中に貫入する施設の基礎工事における中心軸を外れた施設支柱固定具の中心軸補正装置において、前記施設支柱固定具１０は、内側に前記施設支柱が嵌設される空間部７１、８１が形成される下部固定具７０と上部固定具８０とから構成されるが、前記下部固定具７０は、下部には外周縁にネジ山７３が形成される上広下狭のくさび部７４が形成され、前記下部固定具７０の上端部に前記上部固定具８０の下端部が組み付け可能に形成されることを特徴とする。
【００４２】
これによれば、前記下部固定具７０は、前記くさび部７４の前記ネジ山７３により地盤を掘り込んで容易に地中に貫入することが可能になり、海岸地域、河川地域、湿地、水空間など地盤が弱い軟弱地盤地域において十分な支持力を確保するために一層地中の深くに挿入しようとするとき、前記上部固定具８０を前記下部固定具７０の上端部に組み付けることにより前記施設支柱固定具１０の長さを容易に延ばして、追加的に十分な支持力を確保可能な地盤まで地中に貫入して水平（Ｘ−Ｙ面）的に合わない場合を補正することが可能になる。
【００４３】
また、本発明による施設支柱固定具の中心軸補正装置は、図９Ａ及び図９Ｂに示すように、前記下部固定具７０の上端部には多数の下部溝部７５が形成され、前記上部固定具８０の下端部には多数の上部突部８２が形成されて前記下部溝部７５と上部突部８２が嵌合するか、あるいは、前記下部固定具７０の上端部には多数の下部突部７６が形成され、前記上部固定具８０の下端部には多数の上部溝部８３が形成されて前記下部突部７６と上部溝部８３が嵌合する。
【００４４】
これによれば、前記下部固定具７０の上端部と前記上部固定具８０の下端部は前記下部溝部７５と上部突部８２、前記下部突部７６と上部溝部８３により嵌合することにより簡単に組み付けられるような構造に形成されて、前記施設支柱固定具１０の長さを容易に延ばし、追加的に十分な支持力を確保可能な地盤まで地中に貫入して水平（Ｘ−Ｙ面）が合わない場合を補正することが可能になる。
【００４５】
また、本発明による施設支柱固定具の中心軸補正装置は、図１１Ａ及び図１１Ｂに示すように、前記下部固定具７０の上端部と前記上部固定具８０の下端部にはフランジ部７７、８７が形成されて互いにフランジ結合されるが、前記フランジ部７７、８７は螺旋状に形成されることを特徴とする。
【００４６】
これによれば、前記下部固定具７０の上端部と前記上部固定具８０の下端部にはフランジ部７７、８７が形成され、前記フランジ部７７、８７にはボルト孔が形成されて前記ボルト孔にボルト−ナットを締結することにより互いにフランジ結合されて強固に組み付けられるが、前記フランジ部７７、８７をネジ山のように螺旋状に形成することにより前記螺旋状のフランジ部７７、８７は前記施設支柱固定具１０を地中に貫入するに際して前記ネジ山７３が形成された前記くさび部７４と同様に地盤を掘り込んで長さが延ばされた前記施設支柱固定具１０を容易に地中に貫入することが可能になる。
【００４７】
また、本発明による施設支柱固定具の中心軸補正装置は、図１０Ａから図１１Ｂに示すように、前記上部固定具８０は外周縁にネジ山８４が形成されることを特徴とする。
これによれば、前記上部固定具８０もまた、前記下部固定具７０と同様に、外周縁にネジ山８４が形成される構成であるが、前記上部固定具８０が前記下部固定具７０に組み付けられてその長さが延ばされた前記施設支柱固定具１０を地中に貫入するに際して、前記ネジ山８４が地盤を掘り込んで容易に地中に貫入することが可能になる。
【００４８】
一方、本発明による施設支柱固定具の中心軸補正装置は、図１２及び図１３に示すように、施設支柱が嵌設される多数の施設支柱固定具を横紐と縦紐を合わせて地中に貫入する施設の基礎工事における中心軸を外れた施設支柱固定具の中心軸補正装置において、前記施設支柱固定具１０の上部に一体にまたは結合形成され、前後方面にそれぞれ２つずつのＸ軸ガイド孔１５１が形成され、前記Ｘ軸ガイド孔１５１には前記Ｘ軸ガイド孔１５１に沿って前後に移動し、ガイド片ボルト−ガイド片ナット１５４、１５５から構成されるガイド片１５３が取り付けられるＸ軸ガイドプレート１５０と、前記Ｘ軸ガイドプレート５１０の上側に左右方面にそれぞれ２つずつのＹ軸ガイド孔１６１が形成され、前記Ｙ軸ガイド孔１６１には前記Ｙ軸ガイド孔１６１に沿って左右に移動し、前記ガイド片１５３が取り付けられるＹ軸ガイドプレート１６０と、から構成されることを特徴とする。
【００４９】
これによれば、前記Ｘ軸ガイドプレート１５０に形成された前記Ｘ軸ガイド孔１５１と前記Ｙ軸ガイドプレート１６０に形成されたＹ軸ガイド孔１６１は互いに直交するように形成され、前記ガイド片ボルト−ガイド片ナット１５４、１５５から構成される前記ガイド片１５３を前記Ｘ軸ガイド孔１５１に沿って前後（横方向、Ｘ軸方向）に移動してＸ軸方向に外れた分だけ補正し、前記ガイド片１５３を前記Ｙ軸ガイド孔１６１に沿って左右（縦方向、Ｙ軸方向）に移動してＹ軸方向に外れた分だけ補正して前記Ｘ軸ガイドプレート１５０と前記Ｙ軸ガイドプレート１６０を前記ガイド片ボルト−ガイド片ナット１５４、１５５に締結することにより、Ｘ軸及びＹ軸の方向に中心軸を外れた分だけ補正することが可能になり、図１２及び図１３に示すように、前記施設支柱１００を前記Ｙ軸ガイドプレート１６０の上側に連結部材１７０により結合して円滑で且つ安定的に設置することになる。
【００５０】
また、本発明による施設支柱固定具の中心軸補正装置は、図１４に示すように、前記ガイド片ナット１５５はダブルナット１５６から構成して前記Ｙ軸ガイドプレート１６０の上下に締結されて前記Ｘ軸ガイドプレート１５０と前記Ｙ軸ガイドプレート１６０の前後左右の間隔を調節可能にすることを特徴とする。
【００５１】
これによれば、前記ガイド片ナット１５５を前記ダブルナット１５６から構成することにより、前記Ｘ軸ガイドプレート１５０と前記Ｙ軸ガイドプレート１６０は上下に平行に間隔をおいて結合され、その間隔は前記ダブルナット１５６を用いて前後方面にそれぞれ２つずつ締結される前記ガイド片１５３の長さを調節することにより、垂直から傾斜した分だけ補正することが可能になる。すなわち、中心軸を外れて傾斜した側の前記ガイド片１５３の長さを増やし、反対側の前記ガイド片１５３の長さは減らすような方式により調節することにより、Ｚ軸方向に対して傾斜した分だけ補正して垂直を合わせることになり、Ｘ軸、Ｙ軸、Ｚ軸の方向に中心軸を外れた分だけ補正することが可能になることから、図１４に示すように、前記施設支柱１００を前記Ｙ軸ガイドプレート１６０の上側に連結部材１７０により結合して円滑で且つ安定的に設置することになる。
【００５２】
一方、本発明はそれに関する最良の構成状態を列挙しているが、本発明はこれに制限されるものではなく、特許請求の範疇を逸脱することなく実施可能であれば、上述した構成例の変更を考慮することができるということはいうまでもない。
【符号の説明】
【００５３】
１０……施設支柱固定具、
１０１……係合孔、
１０２……係合片、
１０３……ネジ山、
２０……フランジ、
２０１、２０１’……スロット、
２０２、２０２’……連結部、
２０３……固定孔、
２０４……固定片、
３０、３０’……支柱連結部、
３０１……ガイド孔、
３０２……ガイド片、
４０……第１フランジ、
４０１……第１スロット、
４０２……第１連結部、
４０３……第１固定孔、
４０４……固定片、
５０……第２フランジ、
５０１……第２固定孔、
５０２……締結片、
５０３……第２スロット、
５０４……第２連結部、
５０５……ボルト、
５０６……ダブルナット、
６０……連結棒、
７０……下部固定具、
７１……空間部、
７３……ネジ山、
７４……くさび部、
７５……下部溝部、
７６……下部突部、
７７……フランジ部、
８０……上部固定具、
８１……空間部、
８２……上部突部、
８３……上部溝部、
８４……ネジ山、
８７……フランジ部、
１５０……Ｘ軸ガイドプレート、
１５１……Ｘ軸ガイド孔、
１５３……ガイド片、
１５４……ガイド片ボルト、
１５５……ガイド片ナット、
１５６……ダブルナット、
１６０……Ｙ軸ガイドプレート、
１６１……Ｙ軸ガイド孔、
１７０……連結部材、
１００……施設支柱。
【図１】
2010236344.tif 000003
【図２】
2010236344.tif 000004
【図３】
2010236344.tif 000005
【図４】
2010236344.tif 000006
【図５】
2010236344.tif 000007
【図６】
2010236344.tif 000008
【図７】
2010236344.tif 000009
【図８】
2010236344.tif 000010
【図９Ａ】
2010236344.tif 000011
【図９Ｂ】
2010236344.tif 000012
【図１０Ａ】
2010236344.tif 000013
【図１０Ｂ】
2010236344.tif 000014
【図１１Ａ】
2010236344.tif 000015
【図１１Ｂ】
2010236344.tif 000016
【図１２】
2010236344.tif 000017
【図１３】
2010236344.tif 000018
【図１４】
2010236344.tif 000019